(57)【特許請求の範囲】
【請求項１】
対向する受信装置に対する一つの送信信号中で波長割り当てを行って波長多重を行う光送信装置であって、入力信号をパラレル信号へと展開し、このパラレル信号に展開された送信信号をそれぞれ異なる波長の光信号としてパラレル伝送を行う光送信装置において、
送信信号の宛先または当該送信信号が属するサービスに応じて送信に用いる波長の組合せを決定する送信波長決定手段と、
この送信波長決定手段により決定された複数の宛先またはサービスに対応する波長の複数の組合せを、互いの組合せ同士の波長が重複しないように前記一つの送信信号中に配置する手段と
を備え、
送信信号の宛先または当該送信信号が属するサービスに対してグループ分けが行なわれ、それぞれのグループについて優先順位が定められ、
前記配置する手段は、優先順位が高いグループに属する宛先またはサービスに係わる配置処理から先に実行する手段を備えた
ことを特徴とする光送信装置。
【請求項２】
対向する受信装置に対する一つの送信信号中で波長割り当てを行って波長多重を行う光送信装置であって、入力信号をパラレル信号へと展開し、このパラレル信号に展開された送信信号をそれぞれ異なる波長の光信号としてパラレル伝送を行う光送信装置において、
送信信号の宛先または当該送信信号が属するサービスに応じて送信に用いる波長数を決定する送信波長数決定手段と、
この送信波長数決定手段により決定された複数の宛先またはサービスに対応する波長数を、予め定められた最大波長数を超えない範囲で前記一つの送信信号中に割当てる手段と
を備え、
送信信号の宛先または当該送信信号が属するサービスに対してグループ分けが行なわれ、それぞれのグループについて優先順位が定められ、
前記割当てる手段は、優先順位が高いグループに属する宛先またはサービスに係わる割当処理から先に実行する手段を備えた
ことを特徴とする光送信装置。
【請求項３】
請求項１または２に記載の光送信装置と、この光送信装置から受信した光信号の一部または全てをシリアル信号に結合する光受信装置とを備えた光伝送システム。
【請求項４】
対向する受信装置に対する一つの送信信号中で波長割り当てを行って波長多重を行う光送信装置であって、入力信号をパラレル信号へと展開し、このパラレル信号に展開された送信信号をそれぞれ異なる波長の光信号としてパラレル伝送を行う光送信装置における光伝送方法において、
送信信号の宛先または当該送信信号が属するサービスに応じて送信に用いる波長の組合せを決定し、この決定された複数の宛先またはサービスに対応する波長の複数の組合せを、互いの組合せ同士の波長が重複しないように前記一つの送信信号中に配置し、
送信信号の宛先または当該送信信号が属するサービスに対してグループ分けが行なわれ、それぞれのグループについて優先順位が定められ、
前記配置を行う際には、優先順位が高いグループに属する宛先またはサービスに係わる配置処理から先に実行する
ことを特徴とする光伝送方法。
【請求項５】
対向する受信装置に対する一つの送信信号中で波長割り当てを行って波長多重を行う光送信装置であって、入力信号をパラレル信号へと展開し、このパラレル信号に展開された送信信号をそれぞれ異なる波長の光信号としてパラレル伝送を行う光送信装置における光伝送方法において、
送信信号の宛先または当該送信信号が属するサービスに応じて送信に用いる波長数を決定し、この決定された複数の宛先またはサービスに対応する波長数を、予め定められた最大波長数を超えない範囲で前記一つの送信信号中に割当て、
送信信号の宛先または当該送信信号が属するサービスに対してグループ分けが行なわれ、それぞれのグループについて優先順位が定められ、
前記割当を行う際には、優先順位が高いグループに属する宛先またはサービスに係わる割当処理から先に実行する
ことを特徴とする光伝送方法。
【発明の詳細な説明】
【技術分野】
【０００１】
本発明は、光信号の伝送に利用する。特に、入力信号をパラレル信号へと展開し、このパラレル信号に展開された送信信号をそれぞれ異なる波長の光信号としてパラレル伝送する送信装置に関する。
【背景技術】
【０００２】
光通信における高速大容量化の方法としては、波長多重方式が代表的である。波長多重方式は、複数の異なる波長の光へそれぞれ情報を乗せ、１本の光伝送路により伝送を行うことで高速大容量、多様なサービス提供を可能とする方式である。また、多重化の方法には各波長を宛先毎に使用する方法、サービス毎に使用する方法、全波長を使用する方法が存在する。
【０００３】
これら３つの方法はいずれも伝送に用いる波長数と同じ数の電気光変換器を持つ光送信装置、これらの光信号を１本の光伝送路へと入れる光合波器、伝送に用いられる１本の光伝送路、伝送された光信号を波長毎に分離する光分波器、そして各波長の光信号をそれぞれ受信する光電気変換器を持つ光受信装置により構成される。
【０００４】
この構成において、各波長を宛先毎に使用する方法では光受信装置内の光電気変換器がそれぞれ宛先に対応し、各波長をサービス毎に使用する方法では光送信装置内の電気光変換器がそれぞれサービス提供者に対応する。
【０００５】
全波長を用いて多重化を行う方法は特許文献１に記されており、図１２にその構成を示す。この伝送方式において、光送信装置に入力された信号はシリアルパラレル変換回路９０１でパラレル信号へと変換された後、それぞれ異なる波長の光を発するレーザ９１１〜９１４で電気光変換が行われる。
【０００６】
光信号は波長合波器９２０により光伝送路９３０へと入力され、光受信装置へ向けて送信される。光受信装置ではまず光信号を波長分波器９４０で波長毎に分け、それぞれ光検出器９５１〜９５４で光電気変換を行う。
【０００７】
その後、パラレルシリアル変換回路９６０により光電気変換後の電気信号から元のシリアル信号を復元する。この方式を用いることで、各レーザの伝送速度を上昇させることなく送受信装置間の伝送速度を上昇させることができる。
【０００８】
【特許文献１】特開昭６３−５９２２７号公報
【発明の開示】
【発明が解決しようとする課題】
【０００９】
さらに、本発明者は、伝送に用いる波長数よりも多く互いに独立したデータチャネルを多重可能とする方法として、送信先やサービス毎に使用波長の組合せを変え、それぞれパラレル伝送を行うことを検討した。
【００１０】
光受信装置では上記特許文献１と同様に、光分波器で光信号を波長毎に分けるが、光受信装置内のパラレルシリアル変換器は、予め決められた波長で伝送された信号のみを用いてパラレルシリアル変換を行い、元の信号を再生する。
【００１１】
この方法を用いることで、波長の組合せの数と同数のデータチャネルを確保することが可能となる。また、この方法では宛先やサービス毎に使用波長数を変更することで、伝送速度の異なるユーザやサービスを同じ方式を用いて伝送することもできる。
【００１２】
しかし、この伝送方式では、送信先やサービスによって使用波長や使用波長数が異なるため、単純に信号の光送信装置への到着順で出力を行った場合は、その送信先やサービスによって使用する波長や波長数が限定され、そのときに使用されない他の波長の光信号にはデータが含まれないことになる。このようにして、光伝送路を伝送する光信号中の各波長にはデータの含まれない時間が多く含まれ、光伝送の効率が低くなる問題が生じる。
【００１３】
本発明は、このような問題を解決するために行われたものであって、送信先またはサービス毎に異なる波長の組合せ、または、波長数を用いる波長多重を用いた光伝送において効率の良い伝送を行うことができる光送信装置および光伝送システムおよび光伝送方法を提供することを目的とする。
【課題を解決するための手段】
【００１４】
本発明は、入力信号をパラレル信号へと展開し、このパラレル信号に展開された送信信号をそれぞれ異なる波長の光信号としてパラレル伝送を行う光送信装置であって、本発明の特徴とするところは、送信信号の宛先または当該送信信号が属するサービスに応じて送信に用いる波長の組合せを決定する送信波長決定手段と、この送信波長決定手段により決定された複数の宛先またはサービスに対応する波長の複数の組合せを、互いの組合せ同士の波長が重複しないように同じ送信信号中に配置する手段とを備えたところにある。
【００１５】
これによれば、波長の複数の組合せ相互間において互いに使用しない波長を提供しあうことでデータを含まずに送信される波長数を低減させることができ、効率の良い光伝送を行うことができる。
【００１６】
このときに、送信信号の宛先または当該送信信号が属するサービスに対してグループ分けが行なわれ、それぞれのグループについて優先順位が定められ、前記配置する手段は、優先順位が高いグループに属する宛先またはサービスに係わる配置処理から先に実行する手段を備えることもできる。
【００１７】
これによれば、例えば、少ない遅延で伝送することが要求されている送信信号については優先的に送信することができるようになり、光伝送サービスのサービス品質を向上させることができる。
【００１８】
あるいは、本発明の光送信装置は、送信信号の宛先または当該送信信号が属するサービスに応じて送信に用いる波長数を決定する送信波長数決定手段と、この送信波長数決定手段により決定された複数の宛先またはサービスに対応する波長数を、予め定められた最大波長数を超えない範囲で同じ送信信号中に割当てる手段とを備えたことを特徴とする。
【００１９】
これによれば、同じ送信信号中に複数の宛先またはサービスを割当てることができるため、データを含まずに送信される波長数を低減させることができ、効率の良い光伝送を行うことができる。
【００２０】
このときに、送信信号の宛先または当該送信信号が属するサービスに対してグループ分けが行なわれ、それぞれのグループについて優先順位が定められ、前記割当てる手段は、優先順位が高いグループに属する宛先またはサービスに係わる割当処理から先に実行する手段を備えることもできる。
【００２１】
これによれば、例えば、少ない遅延で伝送することが要求されている送信信号については優先的に送信することができるようになり、光伝送サービスのサービス品質を向上させることができる。
【００２２】
また、本発明を光伝送システムの観点から観ることもできる。すなわち、本発明の光送信装置と、この光送信装置から受信した光信号の一部または全てをシリアル信号に結合する光受信装置とを備えた光伝送システムである。
【００２３】
また、本発明を光伝送方法の観点から観ることもできる。すなわち、本発明は、入力信号をパラレル信号へと展開し、このパラレル信号に展開された送信信号をそれぞれ異なる波長の光信号としてパラレル伝送を行う光送信装置における光伝送方法であって、本発明の特徴とするところは、送信信号の宛先または当該送信信号が属するサービスに応じて送信に用いる波長の組合せを決定し、この決定された複数の宛先またはサービスに対応する波長の複数の組合せを、互いの組合せ同士の波長が重複しないように同じ送信信号中に配置するところにある。
【００２４】
また、送信信号の宛先または当該送信信号が属するサービスに対してグループ分けが行なわれ、それぞれのグループについて優先順位が定められ、前記配置を行う際には、優先順位が高いグループに属する宛先またはサービスに係わる配置処理から先に実行することもできる。
【００２５】
あるいは、本発明の光伝送方法は、送信信号の宛先または当該送信信号が属するサービスに応じて送信に用いる波長数を決定し、この決定された複数の宛先またはサービスに対応する波長数を、予め定められた最大波長数を超えない範囲で同じ送信信号中に割当てることを特徴とする。
【００２６】
また、送信信号の宛先または当該送信信号が属するサービスに対してグループ分けが行なわれ、それぞれのグループについて優先順位が定められ、前記割当を行う際には、優先順位が高いグループに属する宛先またはサービスに係わる割当処理から先に実行することもできる。
【発明の効果】
【００２７】
本発明によれば、送信先またはサービス毎に異なる波長の組合せ、または、波長数を用いる波長多重を用いた光伝送において効率の良い伝送を行うことができる。
【発明を実施するための最良の形態】
【００２８】
（第一実施例）
第一実施例の光送信装置を図１を参照して説明する。図１は第一実施例の光送信装置のブロック構成図である。本実施例は本発明の基本的な構成であり、宛先やサービス毎に送信波長の組み合せを定め、かつ送信信号に優先順位を定めない場合の例である。
【００２９】
本発明の光送信装置は受信器１０１、送信波長決定部１１０、情報記憶部１２０、受信バッファメモリ１３０、送信信号配置部１４０、送信バッファメモリ１５０、送信器１６１〜１６Ｎおよび波長合波器１７０により構成される。
【００３０】
受信バッファメモリ１３０は十分な大きさを持つか、あるいは格納された送信信号を一定の規則に基づき廃棄することでバッファ溢れを防ぐ構造であり、送信バッファメモリ１５０は送信器１６１〜１６Ｎと同数の独立した領域１５１〜１５Ｎを持ち、それぞれ送信器１６１〜１６Ｎにより順次読み出される構造である。
【００３１】
受信器１０１へと入力された送信信号の流れを、以下順を追って説明する。受信器１０１へ入力された送信信号はまず送信波長決定部１１０へと入力され、送信信号の送信に用いる波長の組合せを決定する。送信波長決定部１１０内では、まずヘッダ読み取り部１１１で送信波長決定のため、あるいは送信バッファメモリ１５０への配置のために必要なヘッダ情報が抽出される。
【００３２】
送信波長決定に使われる情報としては、宛先に関する情報や送信信号が属するサービスに関する情報が代表的である。そして送信波長対応表１１２は、これらの情報を用いて送信波長の組合せを決定する。
【００３３】
また、送信バッファメモリ１５０への配置のためには送信信号長の情報も必要であるため、送信信号長および送信波長の情報が情報記憶部１２０へ渡される。
【００３４】
送信信号配置部１４０は送信バッファメモリ１５０の状態を取得するメモリ状態取得部１４１、演算部１４２、受信バッファメモリ１３０内の送信信号から送信バッファメモリ１５０へ配置される送信信号を選択する送信信号選択部１４３、シリアルパラレル変換器１４４により構成され、送信波長および送信信号長を基に送信バッファメモリ１５０内への配置位置を決定して配置を行う。
【００３５】
メモリ状態取得部１４１は送信バッファメモリ１５０の状態を全て確認し、送信バッファメモリ１５０の空き状況を表す状態テーブルを作成して保持することにより送信バッファメモリ１５０の空き状況を監視する。
【００３６】
演算部１４２は送信バッファメモリ１５０の空き状況の情報をメモリ状態取得部１４１から取得し、送信を試みる送信信号の送信信号長および送信波長の情報を情報記憶部１２０から取得する。そしてこれらの情報を基に送信信号を配置可能な位置を探索し、配置可能な位置が発見できた場合には当該位置へ送信信号の配置を行う。
【００３７】
図６および図７に送信信号配置位置の決定方法を示す。まず、受信バッファメモリ１３０の先頭の送信信号の情報を情報記憶部１２０から取得し（７０１）、送信バッファメモリ１５０の先頭の空き領域の情報をメモリ状態取得部１４１から取得する（６０１）。そして送信信号の送信波長や送信信号長から算出される配置に必要な領域と空き領域との比較を行い（６０２）、配置可能であれば配置を行う（６０５〜６０６）。配置が不可能であった場合は送信バッファメモリ１５０の末尾に達するまで順に空き領域との比較を行う（６０３〜６０４）。
【００３８】
ここで「配置可能」とは、複数の宛先またはサービスに対応する波長の複数の組合せを、互いの組合せ同士の波長が重複しないように同じ送信信号中に配置できることである。
【００３９】
送信バッファメモリ１５０の末尾まで達しても配置可能とならない場合は当該送信信号の配置を保留し、受信バッファメモリ１３０内の次の送信信号について同様の探索を行う（７０４〜７０５）。
【００４０】
送信信号の配置は送信信号のシリアルパラレル変換（６０５）および送信バッファメモリ１５０への書き込み（６０６）により実現される。シリアルパラレル変換器１４４に求められる特徴は出力ポートを任意に変更可能であることであり、例えば、出力ポート数が３の場合には、図４および図５の構造が考えられる。
【００４１】
図４は取り得る出力ポートの種類全てを並べた出力４１１〜４１７を有するシリアルパラレル変換器アレイで、入力側にあるスイッチ４０１を制御し、どの出力パターンで出力するかを選択する。図５は入力側スイッチ５０１によりまずシリアルパラレル変換の出力ポート数が１ポートの場合（出力５１０）、２ポートの場合（出力５２０）、３ポートの場合（出力５３０）へと振り分け、その後スイッチ５１１、５２１、５２２によりどのポートへ出力するかを決定する構造である。
【００４２】
送信器１６１〜１６Ｎはそれぞれ異なる波長の光で信号の送信を行う装置であり、それぞれ送信バッファメモリ１５０の領域１５１〜１５Ｎから送信信号を順次読み出し、光信号へと変換する。そして送信器より光信号へと変換された送信信号は波長合波器１７０により光伝送路１８０へとまとめられ、光受信装置へ向けて送信される。
【００４３】
（第二実施例）
第二実施例の光送信装置を図２を参照して説明する。図２は第二実施例の光送信装置のブロック構成図である。本実施例が第一実施例と異なる点は、入力された送信信号に対し送信波長の組合せではなく送信波長数のみを規定する点である。
【００４４】
本実施例における光送信装置は受信器１０１、波長数決定部２１０、情報記憶部１２０、受信バッファメモリ１３０、送信信号配置部１４０、送信バッファメモリ１５０、送信器１６１〜１６Ｎおよび波長合波器１７０により構成される。
【００４５】
本実施例における送信信号の処理の流れを、主に第一実施例との差分に着目して説明する。
【００４６】
入力された送信信号は、まず波長数決定部２１０中のヘッダ読み取り部１１１で宛先に関する情報や送信信号が属するサービスに関する情報を抽出され、波長数対応表２１２でそれらの情報を用いて送信に用いられる波長数が決定される。そして波長数の情報および送信信号長の情報が情報記憶部１２０へと渡される。
【００４７】
送信信号配置部１４０は第一実施例と同様の構成であり、波長数対応表２１２により決定された送信波長数および送信信号のデータ長の情報を基に送信バッファメモリ１５０中へ配置を行う。
【００４８】
演算部１４２は送信バッファメモリ１５０の空き状況の情報をメモリ状態取得部１４１から取得し、送信信号長および送信波長数の情報を情報記憶部１２０から取得し、送信信号が配置可能であれば送信信号を配置する。
【００４９】
送信信号配置位置の決定方法は第一実施例と同様に、図６および図７により示される。まず、受信バッファメモリ１３０の先頭の送信信号の情報を情報記憶部１２０から取得し（７０１）、送信バッファメモリ１５０の先頭の空き領域の情報をメモリ状態取得部１４１から取得する（６０１）。
【００５０】
そして送信信号の送信波長数および送信信号長から算出される配置に必要な領域と空き領域との比較を行い（６０２）、配置可能であれば配置を行う（６０５〜６０７）。
【００５１】
ここで「配置可能」とは、複数の宛先またはサービスに対応する波長数を、予め定められた最大波長数を超えない範囲で同じ送信信号中に割当てられることである。
【００５２】
配置が不可能であった場合は送信バッファメモリ１５０の末尾に達するまで順に空き領域との比較を行う（６０３〜６０４）。送信バッファメモリ１５０の末尾まで達しても配置可能とならない場合は当該送信信号の配置を保留し、受信バッファメモリ１３０中の次の送信信号について同様の探索を行う（７０４〜７０５）。
【００５３】
本実施例では送信波長ではなく送信に用いる波長数を宛先やサービス毎に定義することで、光送信装置から光受信装置へ送信波長に関する情報を送信する必要は生じるが光信号列中で信号の含まれていない時間を少なくすることができる。
【００５４】
（第三実施例）
第三実施例の光送信装置を図３を参照して説明する。図３は本実施例の光送信装置のブロック構成図である。本実施例は、第一実施例に加えて、入力された送信信号を優先度毎にグループ分けし、送信バッファメモリ１５０への配置を優先順位に従って行うことで優先順位の高い送信信号を少ない遅延で送信する例である。
【００５５】
本実施例の光送信装置は、受信器１０１、送信波長決定部３１０、情報記憶部３２０、優先度別受信バッファメモリ３３０、送信信号配置部３４０、送信バッファメモリ１５０、送信器１６１〜１６Ｎおよび波長合波器１７０により構成される。
【００５６】
第一実施例の構成と異なる点は、本実施例の送信波長決定部３１０は第一実施例の送信波長決定部１１０に優先度対応表３１３が加わった点と、受信バッファメモリ１３０に代わり優先度別受信バッファメモリ３３０および各優先度に対応する受信バッファメモリ３３１〜３３Ｍへ送信信号を振り分けるスイッチ３２１になった点、本実施例における情報記憶部３２０は第一実施例における情報記憶部１２０に加えて送信信号の優先度に関する情報も格納する点、第一実施例における送信信号選択部１４３は１つの受信バッファメモリ１３０の中から送信信号を選択する構造であったものが本実施例における送信信号選択部３４３ではＭ個の受信バッファメモリ３３１〜３３Ｍから送信信号を選択する構造になった点である。
【００５７】
このうち優先度対応表３１３は送信信号の宛先やサービスの種類の情報と優先度の対応関係が記されている。また、本実施例では、優先度別受信バッファメモリ３３０内の受信バッファメモリ３３１〜３３Ｍのうち、受信バッファメモリ３３１を最も優先度の高い送信信号が格納される受信バッファメモリとし、受信バッファメモリ３３Ｍを最も優先度の低い送信信号が格納される受信バッファメモリとする。
【００５８】
異なる優先度の受信バッファメモリ内にある送信信号から送信を行う順番の決定方法としては、優先度の高い受信バッファメモリに送信可能なものが存在しない場合のみ優先度の低い受信バッファメモリから送信されるＰＱ(Priority Queueing)と呼ばれる方法が代表的である。以下にＰＱを本発明の光送信装置へと適用した場合の例を示す。
【００５９】
入力された送信信号はまず送信波長決定部３１０へと入力される。ヘッダ読み取り部１１１にてヘッダ情報を取得した後、そのヘッダ情報を用いて送信波長対応表１１２により送信波長が、優先度対応表３１３により優先度がそれぞれ決定される。
【００６０】
これらは全て情報記憶部３２０で保存されるが、優先度の情報はスイッチ３２１へも渡され、スイッチ３２１を制御して送信信号を優先度別受信バッファメモリ３３０中の該当する優先度の受信バッファメモリへと格納するために用いられる。
【００６１】
次の送信信号配置部３４０では、まず情報記憶部３２０から送信波長および送信信号長の情報を読み取る。演算部３４２は、まず最も高い優先度の受信バッファメモリ３３１に格納された送信信号の情報を参照し、受信バッファメモリ３３１の先頭から順に送信バッファメモリ１５０への配置を試みる。
【００６２】
もし、受信バッファメモリ３３１内に配置可能な送信信号が存在しなかった場合には、二番目に高い優先度のバッファメモリ３３２内の送信信号を順次参照し、受信バッファメモリ３３１の場合と同様に、送信バッファメモリ１５０へ配置可能な送信信号を探す。この探索は、送信バッファメモリ１５０へ配置可能な送信信号が見つかるまで優先度が高い順に繰り返される。
【００６３】
送信バッファメモリ１５０へと配置可能な送信信号が見つかった場合には、送信信号配置部３４０内の送信信号選択部３４３により当該送信信号が取り出され、第一実施例と同様の手順により送信バッファメモリ１５０へと配置され、送信器１６１〜１６Ｎによる電気光変換、波長合波器１７０を通じて光伝送路１８０へと送信される。この手順を用い、例えば音声通話等の遅延を小さく抑える必要があるサービスの信号の優先度を最も高くすることで装置内遅延を抑えることができる。
【００６４】
また、本実施例では各優先度からの送信信号の取り出し方法はＰＱを用いて説明したがＷＦＱ(Weighted Fair Queueing)やＣＢ−ＷＦＱ(Class-Based Weighted Fair Queueing)、ＬＬＱ(Low Latency Queueing)により実現することもできる。
【００６５】
（その他の実施例）
以上説明した実施例では受信器が１つの場合で説明したが、図９に示すように受信器が複数の場合も以上で説明したものと同様の手順により送信を行うことができる。
【００６６】
また、図１２に示した光伝送システムの構成において光送信装置を本実施例の光送信装置に置き換えることにより、本発明の光伝送システムを構成することができる。
【００６７】
（効果の説明）
以上説明した実施例の光送信装置を用いた送信信号配置による効果を図１０および図１１を参照して説明する。図１０は送信先毎またはサービス毎に波長の組合せが異なる場合の効果を説明する図であり、図１１は送信先毎またはサービス毎に波長数が異なる場合の効果を説明する図である。
【００６８】
図１０（ａ）の例は、送信先またはサービス毎に波長の組合せが異なる場合の例であり、送信先Ａ（またはサービスＡ）は波長♯１、♯４、♯６の組合せ、送信先Ｂ（またはサービスＢ）は波長♯２、♯５の組合せ、送信先Ｃ（またはサービスＣ）は波長♯３、♯４、♯６の組合せ、送信先Ｄ（またはサービスＤ）は波長♯１、♯２の組合せになる。
【００６９】
このような信号を単純にその到着順に送信した場合には、図１０（ａ）に示すように、送信信号♯１〜♯４において「データを含まず」となる波長が多く生じることになる。
【００７０】
本発明では、このような無駄を省くために、図１０（ｂ）に示すように、送信信号の配置を行う。図１０（ｂ）の送信信号♯１では、送信先Ａ（またはサービスＡ）および送信先Ｂ（またはサービスＢ）の送信信号を一つの送信信号♯１に配置することにより「データを含まず」となる波長は波長♯３のみとなった。
【００７１】
同様に、図１０（ｂ）の送信信号♯２では、送信先Ｃ（またはサービスＣ）および送信先Ｄ（またはサービスＤ）の送信信号を一つの送信信号♯２に配置することにより「データを含まず」となる波長は波長♯５のみとなった。
【００７２】
また、図１１（ａ）の例は、送信先またはサービス毎に波長数が異なる場合の例であり、送信先Ａ（またはサービスＡ）は波長数１、送信先Ｂ（またはサービスＢ）は波長数２、送信先Ｃ（またはサービスＣ）は波長数３、送信先Ｄ（またはサービスＤ）は波長数４になる。
【００７３】
このような信号を単純にその到着順に送信した場合には、図１１（ａ）に示すように、送信信号♯１〜♯４において「データを含まず」となる波長が多く生じることになる。
【００７４】
本発明では、このような無駄を省くために、図１１（ｂ）に示すように、送信信号の配置を行う。図１１（ｂ）の送信信号♯１では、送信先Ｂ（またはサービスＢ）および送信先Ｃ（またはサービスＣ）の送信信号を一つの送信信号♯１に配置することにより「データを含まず」となる波長は波長♯６のみとなった。
【００７５】
同様に、図１１（ｂ）の送信信号♯２では、送信先Ａ（またはサービスＡ）および送信先Ｄ（またはサービスＤ）の送信信号を一つの送信信号♯２に配置することにより「データを含まず」となる波長は波長♯６のみとなった。
【００７６】
なお、図１１のように送信先またはサービス毎に波長数が異なる場合は、送信先またはサービス毎に使用する送信波長が毎回異なることになるので、送信波長情報を受信側に送信する必要が生じる。送信波長情報として、例えば、図１１（ｂ）の送信信号♯１では、送信先Ｂ（またはサービスＢ）は波長♯１および♯２を使用し、送信先Ｃ（サービスＣ）は波長♯３〜♯５を使用し、図１１（ｂ）の送信信号♯２では、送信先Ａ（またはサービスＡ）は波長♯１を使用し、送信先Ｄ（またはサービスＤ）は波長♯２〜♯５を使用することを光受信装置に伝達する。
【産業上の利用可能性】
【００７７】
本発明によれば、送信先またはサービス毎に異なる波長の組合せ、または、波長数を用いる波長多重を用いた光伝送において効率の良い伝送を行うことができるので、光伝送サービスのサービス品質向上に利用できる。
【図面の簡単な説明】
【００７８】
【図１】第一実施例の光送信装置のブロック構成図。
【図２】第二実施例の光送信装置のブロック構成図。
【図３】第三実施例の光送信装置のブロック構成図。
【図４】シリアルパラレル変換器の構造例（その１）を示す図。
【図５】シリアルパラレル変換器の構造例（その２）を示す図。
【図６】空き領域探索、配置処理フローを示すフローチャート。
【図７】第一実施例の送信信号配置処理フローを示すフローチャート。
【図８】第三実施例の優先度別送信信号配置処理フローを示すフローチャート。
【図９】その他の実施例の光送信装置のブロック構成図。
【図１０】本発明の効果を説明するための図（波長の組合せ）。
【図１１】本発明の効果を説明するための図（波長数）。
【図１２】特許文献１の光伝送システムの構成図。
【符号の説明】
【００７９】
１０１〜１０Ｎ  受信器
１１０、３１０  送信波長決定部
１１１  ヘッダ読み取り部
１１２  送信波長対応表
１２０、３２０  情報記憶部
１３０、３３１〜３３Ｍ  受信バッファメモリ
１４０、３４０  送信信号配置部
１４１  メモリ状態取得部
１４２、２４２、３４２  演算部
１４３、３４３  送信信号選択部
１４４  シリアルパラレル変換器
１５０  送信バッファメモリ
１５１〜１５Ｎ  領域
１６１〜１６Ｎ  送信器
１７０  波長合波器
１８０  光伝送路
２１０  波長数決定部
２１２  波長数対応表
３１３  優先度対応表
３２１、４０１、５０１、５１１、５２１、５２２  スイッチ
３３０  優先度別受信バッファメモリ
４１１〜４１７、５１０、５２０、５３０  出力
９０１  シリアルパラレル変換回路
９１１〜９１４  レーザ
９２０  波長合波器
９３０  光伝送路
９４０  波長分波器
９５１〜９５４  光検出器
９６０  パラレルシリアル変換回路
【図１】
0004810507.tif 000002
【図２】
0004810507.tif 000003
【図３】
0004810507.tif 000004
【図４】
0004810507.tif 000005
【図５】
0004810507.tif 000006
【図６】
0004810507.tif 000007
【図７】
0004810507.tif 000008
【図８】
0004810507.tif 000009
【図９】
0004810507.tif 000010
【図１０】
0004810507.tif 000011
【図１１】
0004810507.tif 000012
【図１２】
0004810507.tif 000013